(57)【要約】【課題】原稿が画像形成装置に残っていることをユーザーの携帯端末に通知して回収を促す技術において、ユーザーにとって利便性が高く、セキュリティー性を高くする。【解決手段】画像形成装置は、ペアリングした携帯端末と近距離無線通信を行うことが可能な第１の近距離無線通信部と、ネットワークを通じて携帯端末と通信を行うことが可能なネットワーク通信部と、原稿を光学的に読み取ることが可能な原稿読取部と、第１の近距離無線通信部がペアリングした携帯端末との近距離無線通信を終了すると、原稿読取部を制御して原稿を検出させ、原稿読取部が原稿を検出すると、ネットワーク通信部を制御して原稿を検出したことをペアリングした携帯端末に通知し、画像形成装置を使用不可状態とし、第１の近距離無線通信部がペアリングした携帯端末と近距離無線通信を再び行うと、画像形成装置を使用可能状態とする制御回路とを具備する。【選択図】図３
2020022199.tif 000002
【特許請求の範囲】
【請求項１】
画像形成装置であって、
ペアリングした携帯端末と近距離無線通信を行うことが可能な第１の近距離無線通信部と、
ネットワークを通じて前記携帯端末と通信を行うことが可能なネットワーク通信部と、
原稿を光学的に読み取ることが可能な原稿読取部と、
前記第１の近距離無線通信部が前記ペアリングした携帯端末との近距離無線通信を終了すると、前記原稿読取部を制御して前記原稿を検出させ、
前記原稿読取部が前記原稿を検出すると、前記ネットワーク通信部を制御して前記原稿を検出したことを前記ペアリングした携帯端末に通知する
制御回路と
を具備する画像形成装置。
【請求項２】
請求項１に記載の画像形成装置であって、
前記制御回路は、前記原稿読取部が前記原稿を検出すると、さらに、
前記画像形成装置を使用不可状態とし、
前記第１の近距離無線通信部が前記ペアリングした携帯端末と近距離無線通信を再び行うと、前記画像形成装置を使用可能状態とする
画像形成装置。
【請求項３】
請求項１又は２に記載の画像形成装置であって、
前記画像形成装置の周囲にいる人間を検出可能な人感センサーをさらに具備し、
前記制御回路は、前記第１の近距離無線通信部が前記ペアリングした携帯端末と近距離無線通信を再び行い、且つ、前記人感センサーが前記画像形成装置の周囲にいる人間を検出しないとき、前記画像形成装置を使用可能状態とする
画像形成装置。
【請求項４】
請求項３に記載の画像形成装置であって、
操作部をさらに具備し、
前記制御回路は、前記原稿読取部が前記原稿を検出すると、さらに、
前記画像形成装置を使用可能状態とするためのパスワードを生成し、
前記ネットワーク通信部を制御して、少なくとも前記ペアリングした携帯端末に、前記パスワードを通知し、
前記パスワードが前記操作部を介して前記画像形成装置に入力されると、前記画像形成装置を使用可能状態とする
画像形成装置。
【請求項５】
請求項４に記載の画像形成装置であって、
前記制御回路は、前記第１の近距離無線通信部が前記ペアリングした携帯端末と近距離無線通信を再び行い、且つ、前記人感センサーが前記画像形成装置の周囲にいる人間を検出しており、且つ、前記パスワードが前記画像形成装置に前記操作部を介して入力されると、前記画像形成装置を使用可能状態とする
画像形成装置。
【請求項６】
請求項１乃至５の何れか一項に記載の画像形成装置であって、
前記制御回路は、前記画像形成装置を使用可能状態とすると、前記携帯端末とのペアリングを解除する
画像形成装置。
【請求項７】
請求項４又は５に記載の画像形成装置であって、
前記制御回路は、前記パスワードと前記携帯端末のペアリングに用いられるペアリングコードとを関連付けて記憶する
画像形成装置。
【請求項８】
請求項１乃至７の何れか一項に記載の画像形成装置であって、
前記携帯端末とペアリングの不要な近距離無線通信を行うことが可能な第２の近距離無線通信部をさらに具備し、
前記第２の近距離無線通信部は、前記ペアリングに必要なペアリングコードと、前記ネットワークを通じた通信に必要なアドレスとを、前記携帯端末から取得する
画像形成装置。
【請求項９】
請求項１乃至８の何れか一項に記載の画像形成装置であって、
前記原稿読取部は、前記原稿が載置される原稿台と、前記原稿台を開閉可能であって前記原稿台を閉じた状態で機械的にロック可能なカバーとを有し、
前記制御回路は、
前記使用不可状態として、前記カバーをロックし、
前記使用可能状態として、前記カバーのロックを解除する
画像形成装置。
【請求項１０】
請求項９に記載の画像形成装置であって、
前記原稿読取部は、前記原稿台を光学的に読み取ることにより、前記原稿台に載置された原稿を光学的に検出する
画像形成装置。
【請求項１１】
請求項８に記載の画像形成装置であって、
前記第２の近距離無線通信部は、NFC（Near Field Communication）により近距離無線通信を行う
画像形成装置。
【請求項１２】
請求項１乃至１１の何れか一項に記載の画像形成装置であって、
前記第１の近距離無線通信部は、Bluetooth（登録商標）により近距離無線通信を行う
画像形成装置。
【請求項１３】
ペアリングした携帯端末と近距離無線通信を行うことが可能な第１の近距離無線通信部と、ネットワークを通じて前記携帯端末と通信を行うことが可能なネットワーク通信部と、原稿を光学的に読み取ることが可能な原稿読取部とを有する画像形成装置のコンピューターを、
前記第１の近距離無線通信部が前記ペアリングした携帯端末との近距離無線通信を終了すると、前記原稿読取部を制御して前記原稿を検出させ、
前記原稿読取部が前記原稿を検出すると、前記ネットワーク通信部を制御して前記原稿を検出したことを前記ペアリングした携帯端末に通知する
プログラム。
【発明の詳細な説明】
【技術分野】
【０００１】
本開示は、原稿を光学的に読み取ることが可能な原稿読取部を有する画像形成装置及びプログラムに関する。
【背景技術】
【０００２】
原稿を光学的に読み取ることが可能な原稿読取部（スキャナー）を有する画像形成装置において、ユーザーが回収し忘れた原稿が画像形成装置に残っていることを、ユーザーの携帯端末に通知して回収を促す技術が知られている（特許文献１及び特許文献２）。
【先行技術文献】
【特許文献】
【０００３】
【特許文献１】特開２０１０−１５４０３０号公報
【特許文献２】特開２０１３−１４６０４８号公報
【発明の概要】
【発明が解決しようとする課題】
【０００４】
原稿が画像形成装置に残っていることをユーザーの携帯端末に通知して回収を促す技術においては、ユーザーにとって利便性が高く、また、原稿が他者に持ち去られない等のセキュリティー性を高くすることが望まれる。
【０００５】
以上のような事情に鑑み、本開示の目的は、原稿が画像形成装置に残っていることをユーザーの携帯端末に通知して回収を促す技術において、ユーザーにとって利便性が高く、また、原稿が他者に持ち去られない等のセキュリティー性を高くすることにある。
【課題を解決するための手段】
【０００６】
本開示の一形態に係る画像形成装置は、
ペアリングした携帯端末と近距離無線通信を行うことが可能な第１の近距離無線通信部と、
ネットワークを通じて前記携帯端末と通信を行うことが可能なネットワーク通信部と、
原稿を光学的に読み取ることが可能な原稿読取部と、
前記第１の近距離無線通信部が前記ペアリングした携帯端末との近距離無線通信を終了すると、前記原稿読取部を制御して前記原稿を検出させ、
前記原稿読取部が前記原稿を検出すると、前記ネットワーク通信部を制御して前記原稿を検出したことを前記ペアリングした携帯端末に通知し、前記画像形成装置を使用不可状態とし、
前記第１の近距離無線通信部が前記ペアリングした携帯端末と近距離無線通信を再び行うと、前記画像形成装置を使用可能状態とする
制御回路と
を具備する。
【０００７】
本形態によれば、ペアリングした携帯端末との近距離無線通信を終了し、且つ、原稿読取部が原稿を検出すると、画像形成装置を使用不可状態とするのでセキュリティー性が高い。さらに、ペアリングした携帯端末と近距離無線通信を再び行うと、画像形成装置を使用可能状態とするので、ユーザーにとっては自動的に、画像形成装置から原稿を取り出すことができる状態となるので、利便性が高い。
【０００８】
画像形成装置は、
前記画像形成装置の周囲にいる人間を検出可能な人感センサーをさらに具備し、
前記制御回路は、前記第１の近距離無線通信部が前記ペアリングした携帯端末と近距離無線通信を再び行い、且つ、前記人感センサーが前記画像形成装置の周囲にいる人間を検出しないとき、前記画像形成装置を使用可能状態とする。
【０００９】
本形態によれば、ユーザーにとって利便性が高い上、画像形成装置の周囲にいる人間を検出しない場合に限り画像形成装置が使用可能状態となるので、益々セキュリティー性が高い。
【００１０】
前記制御回路は、前記原稿読取部が前記原稿を検出すると、さらに、
前記画像形成装置を使用可能状態とするためのパスワードを生成し、
前記ネットワーク通信部を制御して、少なくとも前記ペアリングした携帯端末に、前記パスワードを通知し、
前記パスワードが前記画像形成装置に入力されると、前記画像形成装置を使用可能状態とする。
【００１１】
本形態によれば、パスワードが画像形成装置に入力された場合に限り画像形成装置を使用可能状態とするので、セキュリティー性が高い。
【００１２】
前記制御回路は、前記第１の近距離無線通信部が前記ペアリングした携帯端末と近距離無線通信を再び行い、且つ、前記人感センサーが前記画像形成装置の周囲にいる人間を検出しており、且つ、前記パスワードが前記画像形成装置に入力されると、前記画像形成装置を使用可能状態とする。
【００１３】
本形態によれば、画像形成装置の周囲にいる人間を検出した場合、パスワードが画像形成装置に入力された場合に限り画像形成装置を使用可能状態とするので、周囲に居る人物が原稿を取り出す機会を排除することができ、セキュリティー性が高い。
【００１４】
前記制御回路は、前記画像形成装置を使用可能状態とすると、前記携帯端末とのペアリングを解除する。
【００１５】
また、本形態によれば、携帯端末が画像形成装置との通信可能範囲に入っても、画像形成装置と携帯端末とが接続を再び確立して通信を開始することがない。このため、仮に画像形成装置が別の携帯端末との関係で使用不可状態であっても、画像形成装置と携帯端末との通信により自動的に画像形成装置が使用可能状態になることが無いので、セキュリティー性が高い。
【００１６】
前記制御回路は、前記パスワードと前記携帯端末のペアリングに用いられるペアリングコードとを関連付けて記憶する。
【００１７】
本形態によれば、制御回路は、入力されたパスワードが、近距離無線通信を再び行った携帯端末のペアリングコードと関連付けて記憶した値であれば、パスワードが正しいと判断する。これにより、以前生成したことのあるパスワードが複数あるとしても、近距離無線通信を再び行った携帯端末に送信したパスワードが入力された場合に限り、画像形成装置を使用可能状態とするので、セキュリティー性が高い。
【００１８】
画像形成装置は、
前記携帯端末とペアリングの不要な近距離無線通信を行うことが可能な第２の近距離無線通信部をさらに具備し、
前記第２の近距離無線通信部は、前記ペアリングに必要なペアリングコードと、前記ネットワークを通じた通信に必要なアドレスとを、前記携帯端末から取得する。
【００１９】
本形態によれば、ユーザーにとっては、第２の近距離無線通信のために単に携帯端末を画像形成装置にかざすだけで自動的に、セキュリティー性を高めるのための第１の近距離無線通信のペアリングが行われるので、利便性が高い。
【００２０】
前記原稿読取部は、前記原稿が載置される原稿台と、前記原稿台を開閉可能であって前記原稿台を閉じた状態で機械的にロック可能なカバーとを有し、
前記制御回路は、
前記使用不可状態として、前記カバーをロックし、
前記使用可能状態として、前記カバーのロックを解除する。
【００２１】
本形態によれば、原稿読取部のカバーを開けることが出来ないため画像形成装置が使用不可状態である上、原稿台に載置された原稿を取り出すこともできなくなるので、セキュリティー性が高い。
【００２２】
前記原稿読取部は、前記原稿台を光学的に読み取ることにより、前記原稿台に載置された原稿を光学的に検出する。
【００２３】
本形態によれば、元々画像形成装置が有する原稿読取部を、回収し忘れた原稿の検出に用いるので、追加的な構成が不要である。
【００２４】
前記第２の近距離無線通信部は、NFC（Near Field Communication）により近距離無線通信を行う。
【００２５】
前記第１の近距離無線通信部は、Bluetooth（登録商標）により近距離無線通信を行う。
【００２６】
本開示の一形態に係るプログラムは、
ペアリングした携帯端末と近距離無線通信を行うことが可能な第１の近距離無線通信部と、ネットワークを通じて前記携帯端末と通信を行うことが可能なネットワーク通信部と、原稿を光学的に読み取ることが可能な原稿読取部とを有する画像形成装置のコンピューターを、
前記第１の近距離無線通信部が前記ペアリングした携帯端末との近距離無線通信を終了すると、前記原稿読取部を制御して前記原稿を検出させ、
前記原稿読取部が前記原稿を検出すると、前記ネットワーク通信部を制御して前記原稿を検出したことを前記ペアリングした携帯端末に通知し、前記画像形成装置を使用不可状態とさせ、
前記第１の近距離無線通信部が前記ペアリングした携帯端末と近距離無線通信を再び行うと、前記画像形成装置を使用可能状態とさせる。
【発明の効果】
【００２７】
本開示によれば、原稿が画像形成装置に残っていることをユーザーの携帯端末に通知して回収を促す技術において、ユーザーにとって利便性が高く、また、原稿が他者に持ち去られない等のセキュリティー性を高くすることができる。
【００２８】
なお、ここに記載された効果は必ずしも限定されるものではなく、本開示中に記載されたいずれかの効果であってもよい。
【図面の簡単な説明】
【００２９】
【図１】本開示の一実施形態に係る情報処理システムの概要を示す。
【図２】画像形成装置及び携帯端末のハードウェア構成を示す。
【図３】画像形成装置の動作フローを示す。
【発明を実施するための形態】
【００３０】
以下、図面を参照しながら、本開示の実施形態を説明する。
【００３１】
１．情報処理システムの概要
図１は、本開示の一実施形態に係る情報処理システムの概要を示す。
【００３２】
情報処理装置システム１は、画像形成装置１０と、携帯端末２０と、情報処理装置３０とを有する。
【００３３】
画像形成装置１０は、典型的には、ＭＦＰ（Multifunction Peripheral）であり、以下単にＭＦＰ１０と称する。ＭＦＰ１０は、インターネット等のネットワークＮを介して携帯端末２０及び情報処理装置３０とそれぞれ通信可能である。加えて、画像形成装置１０は、携帯端末２０とBluetooth（登録商標）及びNFC（Near Field Communication）により近距離無線通信可能である。ＭＦＰ１０は、例えば、コンビニエンスストア等の公共空間に設置され、不特定の人物がアクセス可能である。
【００３４】
携帯端末２０は、ＭＦＰ１０を利用するユーザーが保有するモバイルデバイスである。携帯端末２０は、例えば、スマートフォン、タブレットコンピュータ、ウェアラブル端末、ラップトップパーソナルコンピューター等である。
【００３５】
情報処理装置３０は、ＭＦＰ１０が設置される場所（コンビニエンスストア等）に居る従業員が利用するモバイル又は据え置き型デバイスである。情報処理装置３０は、例えば、スマートフォン、タブレットコンピュータ、ウェアラブル端末、ラップトップ又はデスクトップパーソナルコンピューター等である。
【００３６】
２．画像形成装置のハードウェア構成
図２は、画像形成装置及び携帯端末のハードウェア構成を示す。
【００３７】
ＭＦＰ１０は、制御部１１（制御回路）を備える。制御部１１は、ＣＰＵ、ＲＡＭ、ＲＯＭ及び専用のハードウェア回路等から構成され、ＭＦＰ１０の全体的な動作制御を司る。制御部１１は、コンピューター読み取り可能な非一過性の記録媒体の一例であるＣＰＵをＲＡＭにロードして実行する。
【００３８】
制御部１１は、原稿読取部１２、表示部１４、操作部１７、ネットワーク通信部１９、ＮＦＣ通信部１３、Bluetooth通信部１５、人感センサー１６等とバス１８を通じて接続されている。制御部１１は、接続されている上記各部の動作制御や、各部との間での信号又はデータの送受信を行う。
【００３９】
制御部１１は、ユーザーから、操作部１７等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００４０】
原稿読取部１２は、原稿から画像を読み取るスキャナーである。具体的には、原稿読取部１２は、原稿が載置される原稿台と、原稿台を開閉可能であって前記原稿台を閉じた状態で機械的にロック可能なカバーと、原稿台に載置された原稿を光学的に読み取ることが可能な撮像素子とを有する。原稿読取部１２は、フィーダーを有し、フィーダーに載置された原稿を搬送して光学的に読み取ることがさらに可能であってもよい。
【００４１】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１４を備えている。
【００４２】
ネットワーク通信部１９はインターネット等のネットワークＮに接続するためのインターフェースである。
【００４３】
ＮＦＣ通信部１３は、ＮＦＣの規格に従って電波を携帯端末２０のＮＦＣ通信部２３との間で送受信し、携帯端末２０のＮＦＣ通信部２３の不揮発性の記憶領域に書き込まれた情報を読み取る。ＮＦＣ通信部１３は、携帯端末２０とペアリングが不要な近距離無線通信を行うことが可能な第２の近距離無線通信部に相当する。
【００４４】
Bluetooth通信部１５は、Bluetoothの規格に従って、電波を携帯端末２０のBluetooth通信部２５との間で送受信し、通信を行う。例えば、Bluetooth通信部１５は、class3に対応しており、Bluetoothの規格上、１ｍの通信可能範囲内で携帯端末２０のBluetooth通信部２５と通信することができる。Bluetooth通信部１５は、ペアリングした携帯端末２０と近距離無線通信を行うことが可能な第１の近距離無線通信部に相当する。
【００４５】
人感センサー１６（motion detector）は、赤外線、超音波及び／又は可視光等を用いて、ＭＦＰ１０の周囲にいる人間を検出可能である。
【００４６】
ＭＦＰ１０は、上記各部のほかに、画像を一時的に記憶する画像メモリー、画像を処理する画像処理部、画像形成を行って出力する画像形成部等を有する（図示せず）。
【００４７】
３．携帯端末のハードウェア構成
図２を参照し、携帯端末２０は、制御部２１を備える。制御部２１は、ＣＰＵ、ＲＡＭ、ＲＯＭ及び専用のハードウェア回路等から構成され、携帯端末２０の全体的な動作制御を司る。制御部２１は、コンピューター読み取り可能な非一過性の記録媒体の一例であるＣＰＵをＲＡＭにロードして実行する。
【００４８】
制御部２１は、音声出力部２２、表示部２４、操作部２７、ネットワーク通信部２９、ＮＦＣ通信部２３、Bluetooth通信部２５等とバス２８を通じて接続されている。制御部２１は、接続されている上記各部の動作制御や、各部との間での信号又はデータの送受信を行う。
【００４９】
音声出力部２２は、音声を出力するスピーカー等を含む。
【００５０】
操作部２７は、携帯端末２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２４を備えている。
【００５１】
ネットワーク通信部２９はインターネット等のネットワークＮに接続するためのインターフェースである。
【００５２】
ＮＦＣ通信部２３は、ＮＦＣの規格に従って電波をＭＦＰ１０のＮＦＣ通信部１３との間で送受信する。ＮＦＣ通信部２３は、不揮発性の記憶領域を有し、ネットワーク通信部２９を介して受信可能なメールアドレスや、Bluetooth通信部２５を介した通信に用いられるペアリングコード等を記憶する。
【００５３】
Bluetooth通信部２５は、Bluetoothの規格に従って、電波をＭＦＰ１０のBluetooth通信部１５との間で送受信し、通信を行う。
【００５４】
４．情報処理装置のハードウェア構成
情報処理装置３０は、パーソナルコンピューター等の典型的な情報処理装置であり、そのハードウェア構成は図示を省略する。例えば、情報処理装置３０のハードウェア構成は、携帯端末２０のハードウェア構成と同様であっても良いし、携帯端末２０のハードウェア構成からＮＦＣ通信部２３及びBluetooth通信部２５を除いた構成でも良い。
【００５５】
５．画像形成装置の動作フロー
図３は、画像形成装置の動作フローを示す。
【００５６】
前提として、ユーザーは、先ず、携帯端末２０のＮＦＣ通信部２３をＭＦＰ１０のＮＦＣ通信部１３にかざしてから、ＭＦＰ１０の使用を開始する。具体的には、ユーザーは、原稿読取部１２の原稿台に原稿を載置し、原稿を載置した原稿台をカバーで閉じ、スキャンジョブを実行するために操作部１７を操作する。
【００５７】
ＭＦＰ１０のＮＦＣ通信部１３は、携帯端末２０のＮＦＣ通信部２３に設けられた不揮発性の記憶領域が記憶するメールアドレスやBluetoothのペアリングコード等を読み取る。これにより、ＮＦＣ通信部１３は、メールアドレスとペアリングコード等を取得する。ＭＦＰ１０のBluetooth通信部１５は、ＮＦＣ通信部１３が読み取った携帯端末２０のペアリングコードに基づき、携帯端末２０とペアリングする。ＭＦＰ１０のBluetooth通信部１５は、ペアリングした携帯端末２０のBluetooth通信部２５との接続を確立し、通信を開始する（ステップＳ１０１）。
【００５８】
ＭＦＰ１０の制御部１１は、ＭＦＰ１０のBluetooth通信部１５と、携帯端末２０のBluetooth通信部２５との接続状態を、定期的に確認する（ステップＳ１０２）。ユーザーは携帯端末２０を携帯しているので、ユーザーがＭＦＰ１０の傍に居る限り、ＭＦＰ１０のBluetooth通信部１５と、携帯端末２０のBluetooth通信部２５との接続は継続する。一方、ユーザーがＭＦＰ１０から立ち去れば、携帯端末２０もＭＦＰ１０から離れるので、携帯端末２０が通信可能範囲外に出ることにより、ＭＦＰ１０のBluetooth通信部１５と、携帯端末２０のBluetooth通信部２５との通信は終了する（接続が切れる）。
【００５９】
ＭＦＰ１０の制御部１１は、ＭＦＰ１０のBluetooth通信部１５と、携帯端末２０のBluetooth通信部２５との通信が終了した（接続が切れた）ことを検出する（ステップＳ１０３、ＹＥＳ）。すると、ＭＦＰ１０の制御部１１は、原稿読取部１２を制御して原稿を検出させる。具体的には、ＭＦＰ１０の制御部１１は、原稿読取部１２を制御して、原稿台を光学的に読み取ること（スキャン）により、原稿台に載置された原稿を光学的に検出させる（ステップＳ１０４）。ＭＦＰ１０のBluetooth通信部１５と、携帯端末２０のBluetooth通信部２５との通信が終了した（接続が切れた）後に、つまり携帯端末２０を携帯するユーザーがＭＦＰ１０から立ち去った後に、原稿台に原稿が載置されていれば、その原稿は回収し忘れたものである。一方、原稿台に原稿が載置されていなければ、原稿の回収し忘れは無いことになる。
【００６０】
原稿読取部１２が原稿を検出しなければ（ステップＳ１０５、ＮＯ）、ＭＦＰ１０の制御部１１は、ＮＦＣ通信部１３が読み取ったメールアドレスに宛てて、原稿の回収し忘れは無い旨のメッセージを、ネットワーク通信部１９を介して送信する（ステップＳ１０６）。さらに、ＭＦＰ１０の制御部１１は、Bluetooth通信部１５を制御して、携帯端末２０とのペアリングを解除する（ステップＳ１１５）。
【００６１】
一方、原稿読取部１２が原稿を検出すると（ステップＳ１０５、ＹＥＳ）、ＭＦＰ１０の制御部１１は、ＭＦＰ１０を使用不可状態（後述）から使用可能状態にするためのパスワードを生成する（ステップＳ１０７）。制御部１１は、少なくとも、パスワードと、Bluetoothのペアリングコードと、スキャンジョブを一意に識別するための情報（ジョブのシリアル番号、ジョブの日時等）とを、互いに関連付けてＲＯＭに記憶する。なお、原稿読取部１２が原稿を検出したときには、上のステップＳ１１５とは異なり、携帯端末２０とのペアリングを解除しない。ＭＦＰ１０の制御部１１は、ＮＦＣ通信部１３が読み取ったメールアドレス（携帯端末２０が受信可能なメールアドレス）と、情報処理装置３０が受信可能なメールアドレスとに宛てて、原稿の回収し忘れが有る旨のメッセージと、パスワードとを、ネットワーク通信部１９を介して送信する（ステップＳ１０８）。なお、ＭＦＰ１０の制御部１１は、情報処理装置３０が受信可能なメールアドレスを予め記憶している。
【００６２】
さらに、ＭＦＰ１０の制御部１１は、ＭＦＰ１０を使用不可状態とする（ステップＳ１０９）。具体的には、制御部１１は、原稿読取部１２を制御して、原稿が載置された原稿台を閉じた状態でカバーを機械的にロックする。これにより、原稿読取部１２のカバーを開けることが出来ないためＭＦＰ１０が使用不可状態である上、原稿台に載置された原稿を取り出すこともできなくなる。
【００６３】
その後、ＭＦＰ１０の制御部１１は、ＭＦＰ１０を使用不可状態から使用可能状態にするためのスタンバイ状態となる（ステップＳ１１０）。ＭＦＰ１０を使用不可状態から使用可能状態にする方法を、以下の３つのケースに場合分けして説明する。
【００６４】
（１）ケース１：ユーザーが原稿を回収に来たとき、ＭＦＰ１０の周囲に他の人が居ない場合。
（２）ケース２：ユーザーが原稿を回収に来たとき、ＭＦＰ１０の周囲に他の人が居る場合。
（３）ケース３：ユーザーが原稿を回収に来る前に、他のユーザーがＭＦＰ１０を使用する場合。
【００６５】
（１）ケース１
ユーザーは、携帯端末２０がＭＦＰ１０から受信したメッセージ（ステップＳ１０８）を見ると、携帯端末２０を携帯してＭＦＰ１０の傍に来る。ＭＦＰ１０は携帯端末２０とのペアリングを解除していないので、携帯端末２０が通信可能範囲に入ると、ＭＦＰ１０のBluetooth通信部１５は、携帯端末２０のBluetooth通信部２５との接続を再び確立し、通信を開始する（ステップＳ１１１、ＹＥＳ）。ＭＦＰ１０のBluetooth通信部１５と携帯端末２０のBluetooth通信部２５との接続が確立すると、ＭＦＰ１０の制御部１１は、人感センサー１６がＭＦＰ１０の周囲にいる人間を検出したか否かを判断する（ステップＳ１１２）。
【００６６】
人感センサー１６がＭＦＰ１０の周囲にいる人間を検出しなければ（ステップＳ１１２、ＮＯ）、ＭＦＰ１０の制御部１１は、スタンバイ状態を解消し（ステップＳ１１３）、ＭＦＰ１０を使用可能状態とする（ステップＳ１１４）。具体的には、制御部１１は、原稿読取部１２を制御して、原稿が載置された原稿台を閉じた状態で機械的にロックされたカバーのロックを解除する。これにより、原稿読取部１２のカバーを開けることが出来るため、ユーザーが原稿台に載置された原稿を取り出すことができる上、別のユーザーがＭＦＰ１０を使用可能となる。さらに、ＭＦＰ１０の制御部１１は、Bluetooth通信部１５を制御して、携帯端末２０とのペアリングを解除する（ステップＳ１１５）。
【００６７】
（２）ケース２
ＭＦＰ１０のBluetooth通信部１５は、ペアリング済みの携帯端末２０のBluetooth通信部２５との接続を再び確立し、通信を開始する（ステップＳ１１１、ＹＥＳ）。人感センサー１６がＭＦＰ１０の周囲にいる人間を検出した場合（ステップＳ１１２、ＹＥＳ）、ＭＦＰ１０を使用可能状態とする（カバーのロックを解除する）と、その人物がカバーを開けて原稿を取り出すことができるので、セキュリティー上問題がある。従って、ＭＦＰ１０の制御部１１は、携帯端末２０とのBluetooth接続を再び確立したものの（ステップＳ１１１、ＹＥＳ）、直ちにＭＦＰ１０を使用可能状態とすることなく、パスワードの入力を待つ。
【００６８】
ユーザーは、携帯端末２０がＭＦＰ１０から受信したメッセージ（ステップＳ１０８）に記載されたパスワードを、操作部１７を介してＭＦＰ１０に入力する。ＭＦＰ１０の制御部１１は、パスワードの入力を受け付け（ステップＳ１１６、ＹＥＳ）、受け付けたパスワードが正しい値か否かを判断する（ステップＳ１１７）。具体的には、ＭＦＰ１０の制御部１１は、受け付けたパスワードが、接続を再び確立した携帯端末２０のペアリングコードと関連付けてＲＯＭに記憶した値であれば、パスワードが正しいと判断する。ＭＦＰ１０の制御部１１は、パスワードが正しいと判断すれば（ステップＳ１１７、ＹＥＳ）、スタンバイ状態を解消し（ステップＳ１１３）、ＭＦＰ１０を使用可能状態とし（ステップＳ１１４）、携帯端末２０とのペアリングを解除する（ステップＳ１１５）。
【００６９】
（３）ケース３
ＭＦＰ１０は携帯端末２０とのペアリングを解除していないものの、ユーザーは原稿を回収に来ておらず携帯端末２０が通信可能範囲に入らないので、ＭＦＰ１０のBluetooth通信部１５と携帯端末２０のBluetooth通信部２５との接続は切れたままである（ステップＳ１１１、ＮＯ）。他のユーザーはＭＦＰ１０を使用しようとするが、原稿読取部１２のカバーを開けることが出来ないためＭＦＰ１０を使用できないので、ＭＦＰ１０が設置されている場所に居る従業員に問い合わせる。
【００７０】
従業員は、情報処理装置３０がＭＦＰ１０から受信したメッセージ（ステップＳ１０８）に記載されたパスワードを、操作部１７を介してＭＦＰ１０に入力する。情報処理装置３０がＭＦＰ１０から受信したメッセージが複数ある場合には、従業員は、最新の日時のメッセージに記載されたパスワードを、ＭＦＰ１０に入力する。
【００７１】
ＭＦＰ１０の制御部１１は、パスワードの入力を受け付け（ステップＳ１１６、ＹＥＳ）、受け付けたパスワードが正しい値か否かを判断する（ステップＳ１１７）。具体的には、ＭＦＰ１０の制御部１１は、受け付けたパスワードが、最新のスキャンジョブを一意に識別するための情報（ジョブのシリアル番号、ジョブの日時等）と関連付けてＲＯＭに記憶に記憶した値であれば、パスワードが正しいと判断する。ＭＦＰ１０の制御部１１は、パスワードが正しいと判断すれば（ステップＳ１１７、ＹＥＳ）、スタンバイ状態を解消し（ステップＳ１１３）、ＭＦＰ１０を使用可能状態とし（ステップＳ１１４）、携帯端末２０とのペアリングを解除する（ステップＳ１１５）。これにより、原稿読取部１２のカバーを開けることが出来るため、従業員が原稿台に載置された原稿を取り出すことができ、別のユーザーがＭＦＰ１０を使用可能となる。
【００７２】
その後、ユーザーがＭＦＰ１０に原稿を回収に来たとき、原稿はＭＦＰ１０から回収済みであるため、ＭＦＰ１０が設置されている場所に居る従業員に問い合わせる。その際、ユーザーは、携帯端末２０がＭＦＰ１０から受信したメッセージ（ステップＳ１０８）に記載されたパスワード及びメッセージの受信日時を、従業員に伝える。従業員は、ユーザーが伝えたパスワード及びメッセージの受信日時と、情報処理装置３０がＭＦＰ１０から受信したメッセージ（ステップＳ１０８）に記載されたパスワード及びメッセージの受信日時とが一致すれば、ユーザーに原稿を渡す。
【００７３】
６．変形例
（１）変形例１
本実施形態では、ＭＦＰ１０の制御部１１は、ペアリングした携帯端末２０とのBluetooth通信を再び行い（ステップＳ１１１、ＹＥＳ）、且つ、人感センサー１６がＭＦＰ１０の周囲にいる人間を検出しないとき（ステップＳ１１２、ＮＯ）、ＭＦＰ１０を使用可能状態とした（ステップＳ１１４）（ケース１）。また、ＭＦＰ１０の制御部１１は、ペアリングした携帯端末２０とのBluetooth通信を再び行い（ステップＳ１１１、ＹＥＳ）、且つ、人感センサー１６がＭＦＰ１０の周囲にいる人間を検出しており（ステップＳ１１２、ＹＥＳ）、且つ、正しいパスワードがＭＦＰ１０に入力される（ステップＳ１１６のＹＥＳ、ステップＳ１１７のＹＥＳ、）と、ＭＦＰ１０を使用可能状態とした（ステップＳ１１４）（ケース２）。
【００７４】
これに替えて、ＭＦＰ１０の制御部１１は、ペアリングした携帯端末２０とのBluetooth通信を再び行うこと（ステップＳ１１１、ＹＥＳ）のみをトリガとして、ＭＦＰ１０を使用可能状態としてもよい。携帯端末２０を携帯するユーザーはＭＦＰ１０の傍に居るため、ＭＦＰ１０の周囲に人間が居るとしても、ユーザーが直ちにＭＦＰ１０にアクセスして原稿を回収できる可能性が高いためである。
【００７５】
（２）変形例２
本実施形態では、ＭＦＰ１０の制御部１１は、携帯端末２０が受信可能なメールアドレスに宛てて、ネットワーク通信部１９を介して、メッセージを送信した（ステップＳ１０６、Ｓ１０８）。これに替えて、ＭＦＰ１０の制御部１１は、携帯端末２０が実行するアプリケーションプログラムが受信可能な宛先に、ネットワーク通信部１９を介して、メッセージを送信してもよい。この場合、携帯端末２０が予めアプリケーションプログラムを起動している必要がある。携帯端末２０は、アプリケーションプログラムに従って、音声出力部２２からアラートを出力してもよい。
【００７６】
（３）変形例３
本実施形態では、ＭＦＰ１０の制御部１１は、使用不可状態として、原稿読取部１２のカバーを原稿台を閉じた状態で機械的にロックした。カバーのロックに代えて、あるいは、カバーのロックに加えて、ＭＦＰ１０の制御部１１は、使用不可状態として、操作部１７に対する操作を不可能としてもよい。
【００７７】
７．まとめ
原稿を光学的に読み取ることが可能な原稿読取部（スキャナー）を有するＭＦＰにおいて、ユーザーが回収し忘れた原稿がＭＦＰに残ってしまうことがある。例えば、コンビニエンスストア等の公共空間に設置されるＭＦＰは、不特定の人物がアクセス可能である。ユーザーが個人情報が記載された原稿（例えば、免許証、保険証、マイナンバーカード等）を回収し忘れてＭＦＰに残ると、個人情報が他者へ漏洩するおそれがある。
【００７８】
そこで、原稿が画像形成装置に残っていることをユーザーの携帯端末に通知して回収を促すことが考えられる。しかしながら、ユーザーが通知を受けて戻ってくるまでに、他のユーザーがＭＦＰを使用したり、原稿が持ち去られてしまうおそれがある。また、他のユーザーがＭＦＰを使用する前に、ＭＦＰが設置された場所に居る従業員（例えば、コンビニエンスストアの店員）がＭＦＰから原稿を回収したとしても、従業員は、原稿を取りに来た人が、真の所有者であるか確認できない。
【００７９】
これに対して、本実施形態によれば、ケース１において、ユーザーが原稿を回収に来るまでＭＦＰ１０を使用不可状態とする（ステップＳ１０９）のでセキュリティー性が高い。また、ＭＦＰ１０の周囲に人間がいない場合に限り（ステップＳ１１２、ＮＯ）、ＭＦＰ１０が使用可能状態となるので（ステップＳ１１４）、益々セキュリティー性が高い。さらに、ユーザーにとっては、パスワードを入力（ステップＳ１１６）することなく、原稿を取り出すことができるので（ステップＳ１１４）、利便性が高い。
【００８０】
また、ケース２において、ＭＦＰ１０の周囲に人間がいる場合（ステップＳ１１２、ＹＥＳ）、ユーザーがＭＦＰ１０に正しいパスワードを入力して初めて（ステップＳ１１６、Ｓ１１７）、ＭＦＰ１０を使用可能状態とする（ステップＳ１１４）。これにより、ＭＦＰ１０の周囲に居る人物が原稿を取り出す機会を排除することができるので、セキュリティー性が高い。
【００８１】
また、ケース３において、ＭＦＰ１０は、携帯端末２０及び情報処理装置３０に同じパスワードを送信（ステップＳ１０８）しているので、従業員は、回収した原稿を返却する際、原稿を取りに来た人が真の所有者であると確認でき、原稿を忘れたユーザー本人に対して間違いなく原稿を返却することができる。
【００８２】
また、本実施形態によれば、ＭＦＰ１０を使用可能状態として（ステップＳ１１４）ユーザーが原稿台に載置された原稿を取り出すことができる状態とすると、ＭＦＰ１０は、携帯端末２０とのペアリングを解除する（ステップＳ１１５）。これにより、別の機会に（後日など）携帯端末２０を保持したユーザーがＭＦＰ１０とのBluetooth通信可能範囲に入っても、ＭＦＰ１０と携帯端末２０とが接続を再び確立して通信を開始することがない。このため、仮にＭＦＰ１０が別の携帯端末（別のユーザー）との関係で使用不可状態であっても、ＭＦＰ１０と携帯端末２０とのBluetooth通信により自動的にＭＦＰ１０が使用可能状態になることが無い。これにより、別のユーザー（今回原稿を忘れた人物）にとってのセキュリティー性が高い。
【００８３】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００８４】
１…情報処理システム
１０…ＭＦＰ
１１、２１…制御部
１２…画像読取部
１３、２３…ＮＦＣ通信部
１５、２５…Bluetooth通信部
１９、２９…ネットワーク通信部
２０…携帯端末
３０…情報処理装置
【図１】
2020022199.tif 000003
【図２】
2020022199.tif 000004
【図３】
2020022199.tif 000005